(57)【要約】【課題】簡易な構成でコストを抑制しつつ使用者に排紙空間部に用紙が排出されスタックされていることを通知できるものとする。【解決手段】画像形成装置の作像部の上方にビン排紙トレイ８１を備える排紙空間部６１を挟んで画像読取手段１６を備える胴内排紙型画像形成装置に係り、ビン排紙トレイ８１に記録媒体が排出されたことを検出し検出信号を発生する検知手段を備える他、ビン排紙トレイ８１の手前側縁部に配置され前記検知信号に基づいて作動するＬＥＤ発光部素子を備えた発光部８３を配置した。前記ビン排紙トレイ８１の手前側に操作パネル９１を備え、前記発光部８３はビン排紙トレイ８１のうち操作パネル９１の配置位置から外れた先端部に配置されている。【選択図】図３
2010249969.tif 000002
【特許請求の範囲】
【請求項１】
作像部の上方にビン排紙トレイを備える排紙空間部を挟んで画像読取部が配置された胴内排紙型の画像形成装置において、
前記ビン排紙トレイに記録媒体が排出されたことを検出し検出信号を発生する検知手段と、
前記ビン排紙トレイの手前側縁部に配置され前記検知信号に基づいて作動する発光手段と、
を備えたことを特徴とする画像形成装置。
【請求項２】
前記発光手段はＬＥＤ発光素子を備えることを特徴とする請求項１に記載の画像形成装置。
【請求項３】
画像形成装置は前記ビン排紙トレイの手前側に操作パネルを備え、前記発光手段は前記ビン排紙トレイのうち操作パネルの配置位置から外れた位置に配置されていることを特徴とする請求項１又は請求項２に記載の画像形成装置。
【請求項４】
前記読取部の開閉体部には自動原稿搬送装置が配置されていることを特徴とする請求項１乃至請求項３のいずれかに記載の画像形成装置。
【発明の詳細な説明】
【技術分野】
【０００１】
本発明は画像形成装置に係り、特に作像部の上方にビン排紙トレイを備えた排紙空間部を挟んで画像読取部が配置された胴内排紙型の画像形成装置に関する。
【背景技術】
【０００２】
画像形成装置として、所謂胴内排紙型のものがある。これは、作像部と画像読取部と前記作像部と画像読取部と間に排紙部を備えるタイプのものである。このような胴内排紙型の画像形成装置では排紙部に記録用紙等の記録媒体が排出されていることを確認しにくいという問題がある。このような課題を解決するため特許文献１には、使用者にビン排紙トレイにプリント用紙が排出されスタックされていることが明確に理解することができるようにするため、作像部と画像読取装置との間に胴内排紙部を備える胴内排紙型画像形成装置の胴内排紙部に配置されたビン排紙トレイに用紙が排出されスタックされたことを検出してスタック通知信号を発生する用紙検出手段と、スタック通知信号に基づいてビン排紙トレイに用紙に用紙がスタックされたことを通知するためビン排紙トレイを透明とすると共に発光手段を備えたものが記載されている。
【発明の概要】
【発明が解決しようとする課題】
【０００３】
しかし、上述した従来の画像形成装置では排紙を告知するため、ビン排紙トレイを透明にする他、発光手段を設ければならず、コストが嵩むという問題がある。そこで本発明は、簡易な構成でコストを抑制しつつ使用者に排紙空間部に用紙が排出されスタックされていることを通知できる画像形成装置を提供することを目的とする。
【課題を解決するための手段】
【０００４】
請求項１の発明は、作像部の上方にビン排紙トレイを備える排紙空間部を挟んで画像読取部が配置された胴内排紙型の画像形成装置において、前記ビン排紙トレイに記録媒体が排出されたことを検出し検出信号を発生する検知手段と、前記ビン排紙トレイの手前側縁部に配置され前記検知信号に基づいて作動する発光手段と、を備えたことを特徴とする画像形成装置である。
【０００５】
請求項２の発明は、請求項１に記載の画像形成装置において、前記発光手段はＬＥＤ発光素子を備えることを特徴とする。
【０００６】
請求項３の発明は、請求項１又は請求項２に記載の画像形成装置において、画像形成装置は前記ビン排紙トレイの手前側に操作パネルを備え、前記発光手段は前記ビン排紙トレイのうち操作パネルの配置位置から外れた位置に配置されていることを特徴とする。
【０００７】
請求項４の発明は、請求項１乃至請求項３のいずれかに記載の画像形成装置において、前記読取部の開閉体部には自動原稿搬送装置が配置されていることを特徴とする。
【発明の効果】
【０００８】
本発明に係る画像形成装置によれば、前記ビン排紙トレイの手前側縁部にビン排紙トレイに記録媒体が排出されたことを告知する発光手段を配置するようにしたので、簡単な構成でコストを抑制しつつ使用者にビン排紙トレイに記録媒体が配置されたことを確実に認識させることができる。
【図面の簡単な説明】
【０００９】
【図１】実施例が適用される画像形成装置の内部構成を示す断面図である
【図２】開閉体部の取り付け状態示す斜視図である。
【図３】画像形成装置を示す斜視図である。
【図４】画像形成装置を示す他の方向からの斜視図である。
【図５】画像形成装置の側面図である。
【図６】使用者からの視線を示す模式図である。
【発明を実施するための形態】
【００１０】
本発明に係る画像形成装置は、作像部の上方にビン排紙トレイを備える排紙空間部を挟んで画像読取部が配置された胴内排紙型の画像形成装置において、前記ビン排紙トレイに記録媒体が排出されたことを検出し検出信号を発生する検知手段を備える他、ビン排紙トレイの手前側縁部に配置され前記検知信号に基づいて作動する発光手段としてのＬＥＤ発光素子を配置した。また、画像形成装置は前記ビン排紙トレイの手前側に操作パネルを備え、前記発光手段は前記ビン排紙トレイのうち操作パネルの配置位置から外れた位置に配置されており、前記読取部の開閉体部には自動原稿搬送装置が配置されている。
【実施例】
【００１１】
以下実施例に係る画像形成装置について説明する。まず画像形成装置の概略構成を説明する。図１は実施例が適用される画像形成装置の内部構成を示す断面図、図２は自動原稿読取装置の取り付け状態示す斜視図である。
【００１２】
本発明が適用される画像形成装置である複写機１１は、記録媒体にトナー像を形成する画像形成手段１２と、この画像形成手段１２によって形成された記録媒体上のトナー像を、その記録媒体に定着する定着装置１３と、画像形成手段１２に記録媒体を給送する記録媒体搬送装置１４と、画像形成手段１２、定着装置１３及び記録媒体搬送装置１４を収容する第１の装置本体１５と、原稿画像を読取る画像読取手段１６と、画像読取手段１６を収容する第２の装置本体１７と、原稿を搬送する開閉体として圧板の機能を有する自動原稿搬送装置１８（ＡＤＦ）と、を備えている。また、ＡＤＦ１８は、図２に示すように、第２の装置本体１７にヒンジ機構１９を介して第２の装置本体１７に開閉自在に搭載されている。このような構成により、この例では第２の装置本体１７と自動原稿搬送装置１８とで画像読取部を構成している。
【００１３】
ＡＤＦ１８は、原稿束を載置可能な原稿載置台２０と、原稿載置台２０に載置された原稿束の上面に当接して原稿束を送り出す当接位置及び原稿束から離隔する離隔位置の間で移動するピックアップローラ２１と、ピックアップローラ２１によって送り出された原稿束から原稿を１枚ずつ分離して読取位置であるスリットガラス３６に向かって搬送する給紙ベルト２２、リバースローラ２３、搬送ローラ対２４からなる原稿搬送手段２５と、読取位置で読取りが終了した原稿を原稿排紙台２６に排紙する搬送ローラ対２７及び排紙ローラ対２８からなる原稿排紙手段２９とを備えている。
【００１４】
また、排紙ローラ対２８は、駆動ローラ２８ａと、駆動ローラ２８ａに摺接する従動ローラ２８ｂ及び従動ローラ２８ｃとを備えており、排紙ローラ対２８の近傍には切換爪３０が設けられている。切換爪３０は、第１の切換位置と第２の切換位置との間で移動するようになっており、切換爪３０が第１の切換位置に切換えられると、駆動ローラ２８ａ及び従動ローラ２８ｂによって原稿が原稿排紙台２６に排紙されるようになっている。また、切換爪３０が第２の切換位置に切換えられると、駆動ローラ２８ａ及び従動ローラ２８ｃによって原稿がスイッチバック通路３１に搬送されるようになっている。
【００１５】
スイッチバック通路３１には正逆回転自在なスイッチバックローラ対３２が設けられており、スイッチバック通路３１に搬送される原稿は、スイッチバックローラ対３２によって図１中、右方向に搬送された後、スイッチバックローラ対３２が逆転駆動することにより、再搬送経路を介して搬送ローラ対２４に搬送される。このため、原稿が反転されて読取位置に搬送される。
【００１６】
また、画像読取手段１６は、それ自体周知のように、光学系３４を収容した第２の装置本体１７と、第２の装置本体１７の上部に固定配置されたコンタクトガラス３５及びスリットガラス３６とを備えている。この画像読取手段１６にあっては、閉じられた原稿や本等からなる原稿をコンタクトガラス３５上に原稿を載置して、その原稿を自動原稿搬送装置１８によって押圧することにより、原稿を読取ることができる。また、自動原稿搬送装置１８によって自動搬送される原稿はスリットガラス３６の読取位置で読取られるようになっている。即ち、画像読取手段としての光学系３４は、光源３７と第１ミラー３８とを有する第１走行体３９と、第２ミラー４０及び第３ミラー４１を有する第２走行体４２と、結像レンズ４３と、ＣＣＤイメージセンサ４４とを備えており、第１走行体３９及び第２走行体４２は、図１に示した位置から右方に移動し、このとき、光源３７から出射する光によって原稿を照明し、その反射光を第１ミラー３８、第２ミラー４０及び第３ミラー４１の順に反射した後、結像レンズ４３を通してＣＣＤイメージセンサ４４に入射する。このようにして原稿画像がＣＣＤイメージセンサ４４に結像されることにより、原稿の画像が読取られる。
【００１７】
自動原稿搬送装置１８によって原稿を読取る場合には、図１中、右方に示す位置に第１走行体３９及び第２走行体４２を固定した状態で上述した手順で走行する原稿を読取る。
【００１８】
画像形成手段１２は、ドラム状の感光体からなる第１像担持体４５Ｙ、第２像担持体４５Ｃ、第３像担持体４５Ｍ及び第４像担持体４５ＢＫを備えており、これら第１〜第４像担持体４５Ｙ〜４５ＢＫには、複数の支持ローラに巻き掛けられた無端ベルトからなる中間転写ベルト４６が対向配置されている。第１〜第４像担持体４５Ｙ〜４５ＢＫは、それぞれ図１における時計方向に回転駆動されるようになっており、中間転写ベルト４６は図１中、矢印Ａ方向に回転駆動される。このとき、第１像担持体４５Ｙは、帯電ローラ４７によって所定の極性に帯電される。
【００１９】
光書き込みユニット４８からは、上述した原稿の読取り結果に応じた画信号に基づいて光変調されたレーザビームＬが出射されるようになっており、第１像担持体４５Ｙの帯電面にそのレーザビームＬが照射されることによって第１像担持体４５Ｙに静電潜像が形成され、この静電潜像は現像装置４９によってイエロートナー像として可視像化される。
【００２０】
一次転写ローラ５０には、転写電圧が印加されることによって、第１像担持体４５Ｙ上に形成されたトナー像が図１中、矢印Ａ方向に回転する中間転写ベルト４６上に一次転写される。トナー像転写後の第１像担持体４５Ｙ上に付着する転写残トナーは、クリーニング装置５２によって除去される。本実施の形態の複写機１１においては、第１像担持体４５Ｙと、その周囲に配設された帯電ローラ４７と、現像装置４９と、クリーニング装置５２とによって一体的なプロセスカートリッジが構成されている。
【００２１】
また、現像装置４９は、粉体状のトナーを収容した現像容器５３を有し、そのトナーによって静電潜像が可視像化される。また、現像容器５３内のトナー量が減少したとき、トナーボトル５４Ｙから現像容器５３にトナーが補給される。
【００２２】
一方、クリーニング装置５２は、第１像担持体４５Ｙから除去されたトナーを受け入れるクリーニング容器５５を備えており、クリーニング容器５５内のトナーは、トナー搬送装置によって、図示していない廃トナー容器に搬送される。このように、現像容器５３、トナーボトル５４Ｙ、クリーニング容器５５及び廃トナー容器にはトナーが収容されている。
【００２３】
上述した動作と同様にして、第２像担持体４５Ｃ、第３像担持体４５Ｍ及び第４像担持体４５ＢＫ上にシアントナー像、マゼンタトナー像及びブラックトナー像がそれぞれ形成され、これらのトナー像がイエロートナー像の転写された中間転写ベルト４６上に順次重ねて一次転写される。
【００２４】
これらの第２像担持体４５Ｃ、第３像担持体４５Ｍ、第４像担持体４５ＢＫにトナー像を形成する現像装置の現像容器内のトナー量が減少したときも、各トナーボトル５４Ｃ、５４Ｍ、５４ＢＫから、その各現像容器にトナーが補給される。
【００２５】
このようにして、中間転写ベルト４６上に転写された重ねトナー像は、二次転写ローラ５６の作用によって記録媒体に二次転写され、その転写後の中間転写ベルト４６上に付着する転写残トナーは、ベルト用のクリーニング装置５２により除去される。このクリーニング装置５２のクリーニング容器５５にもトナーが収容され、そのトナーは図示していない廃トナー容器に搬送される。
【００２６】
記録媒体搬送装置１４は中間転写ベルト４６の下方に配置されており、この記録媒体搬送装置１４は、記録紙等からなる記録媒体Ｓを収容した給紙カセット５７と、最上位の記録媒体Ｓに接触する給紙ローラ５８と、レジストローラ対５９とを有し、給紙ローラ５８の回転によって最上位の記録媒体Ｓが図１中、矢印Ｂ方向に送り出される。送り出された記録媒体Ｓは、レジストローラ対５９の回転によって、所定のタイミングで中間転写ベルト４６と、中間転写ベルト４６に対向配置された二次転写ローラ５６との間に給送される。
【００２７】
この記録媒体Ｓが中間転写ベルト４６と二次転写ローラ５６との間を通過するとき、二次転写ローラ５６には転写電圧が印加されることによって中間転写ベルト４６上の重ねトナー像が記録媒体に二次転写される。このようにして、画像形成手段１２により、記録媒体Ｓ上にトナー像が形成されるのである。
【００２８】
そして、トナー像が形成された記録媒体Ｓは定着装置１３を通過し、このとき画像形成手段１２によって形成された記録媒体Ｓ上のトナー像がその記録媒体Ｓに定着される。また、定着装置１３によって画像が定着された記録媒体Ｓは排紙ローラ対６０によって排紙空間部６１内上に排紙される。
【００２９】
この排紙空間部６１は、画像形成手段１２を収納する第１の装置本体１５と画像読取手段１６を収納する第２の装置本体１７の間に形成されており、本実施の形態では、排紙ローラ対６０による記録媒体Ｓの排紙方向下流側の第１の装置本体１５及び第２の装置本体１７の間が開放される胴内排紙型の複写機１１となっている。尚、排紙空間部６１には必要に応じてビン排紙トレイ８１が配置される（図３、４参照）。
また、排紙ローラ対６０の上流側には切換レバー６２が設けられており、この切換レバー６２は記録媒体の表面の複写が終了したときに、記録媒体Ｓの裏面に複写を行うときに、反転通路６３側に切換えられるようになっている。
【００３０】
即ち、記録媒体Ｓの後端が排紙ローラ対６０に挟持されると、排紙ローラ対６０が逆転駆動するとともに、切換レバー６２が反転通路６３に連通する位置に切換えられ、記録媒体Ｓが反転通路６３に向かって搬送される。
【００３１】
この反転通路６３には反転ローラ対６４が設けられており、この反転ローラ対６４によって反転通路６３を搬送される記録媒体は、二次転写ローラ５６側に搬送される。
一方、スリットガラス３６上には反射ガイド板６５が設けられており、この反射ガイド板６５は光源３７からの光を反射するようになっている。
【００３２】
また、コンタクトガラス３５とスリットガラス３６の間には図３に示すようなガイド部材７１が設けられており、このガイド部材７１は、スリットガラス３６を通過した原稿を掬い上げて搬送ローラ対２７に向かって案内するようになっている。
【００３３】
次に本実施例に係る画像形成装置の特徴について説明する。図３は実施例に係る画像形成装置を示す斜視図、図４は実施例に係る画像形成装置を示す他の方向からの斜視図、図５は実施例に係る画像形成装置の側面図、図６は実施例に係る画像形成装置の平面図、図７は使用者からの視線を示す模式図である。
【００３４】
複写機１１は上述したように第１の装置本体１５と原稿読取装置である第２の装置本体１７との間に排紙空間部６１を形成している。本例では、第１の装置本体１５には液晶タッチパネルで構成される操作パネル９１が配置角度可変に取り付けられている。また、排紙空間部６１内にはビン排紙トレイ８１が配置される。このビン排紙トレイ８１には排紙された記録媒体の取り出しを容易にするため、切欠部８２が形成されている。
【００３５】
そして、本例では、このビン排紙トレイ８１の手前側縁部であって、操作パネル９１の配置位置から外れた先端部（図中左端部）に発光手段としてＬＥＤ発光部素子を備えた発光部８３を配置している。
【００３６】
また、本例において前記ビン排紙トレイ８１に記録媒体が排出されたことを検知し検知信号を発生する検知手段は、複写機１１を制御する制御部が兼ねており、複写機１１の制御状態から検知信号を発生する。尚、検知手段として、ビン排紙トレイ８１上の記録馬体を検知する光センサや超音波センサ、ビン排紙トレイ８１その他の場所に設けた接触式、非接触式のセンサを使用することができる。
【００３７】
従って本実施例によれば、ビン排紙トレイ８１に記録媒体が排出されると、検知手段がこれを検知し、発光部８３が発光させる。すると、図６に示すように、使用者Ｅは、ビン排紙トレイ８１の発光部８３を視認することができる。このとき、発光部８３は操作パネル９１で視線が遮断されない位置に配置されているため、使用者Ｅは確実に発光した発光部８３を視認でき、ためビン排紙トレイ８１上に記録媒体Ｓが排紙されたことを認識できる。
【００３８】
尚、前記例では発光部８３はビン排紙トレイ８１の先端部に配置したが、操作パネル９１で視線が遮られない位置であればビン排紙トレイ８１の他の位置に配置するようにしてもよい。
【符号の説明】
【００３９】
１１：複写機
１２：画像形成手段
１３：定着装置
１４：記録媒体搬送装置
１５：第１の装置本体
１６：画像読取手段
１７：第２の装置本体
１８：自動原稿搬送装置
１９：ヒンジ機構
２０：原稿載置台
２１：ピックアップローラ
２２：給紙ベルト
２３：リバースローラ
２４：搬送ローラ対
２５：原稿搬送手段
２６：原稿排紙台
２７：搬送ローラ対
２８：排紙ローラ対
２８ａ：駆動ローラ
２８ｂ：従動ローラ
２８ｃ：従動ローラ
２９：原稿排紙手段
３０：切換爪
３１：スイッチバック通路
３２：スイッチバックローラ対
３４：光学系
３５：コンタクトガラス
３６：スリットガラス
３７：光源
３８：第１ミラー
３９：第１走行体
４０：第２ミラー
４１：第３ミラー
４２：第２走行体
４３：結像レンズ
４４：ＣＣＤイメージセンサ
４５Ｙ〜４５ＢＫ：第１〜第４像担持体
４６：中間転写ベルト
４７：帯電ローラ
４８：ユニット
４９：現像装置
５０：一次転写ローラ
５２：クリーニング装置
５３：現像容器
５４Ｃ、５４Ｍ、５４ＢＫ：トナーボトル
５５：クリーニング容器
５６：二次転写ローラ
５７：給紙カセット
５８：給紙ローラ
５９：レジストローラ対
６０：排紙ローラ対
６１：排紙空間部
６２：切換レバー
６３：反転通路
６４：反転ローラ対
６５：反射ガイド板
７１：ガイド部材
８１：ビン排紙トレイ
８２：切欠部
８３：発光部
９１：操作パネル
【先行技術文献】
【特許文献】
【００４０】
【特許文献１】特開２００６−２５９１９４公報
【図１】
2010249969.tif 000003
【図２】
2010249969.tif 000004
【図３】
2010249969.tif 000005
【図４】
2010249969.tif 000006
【図５】
2010249969.tif 000007
【図６】
2010249969.tif 000008